(57)【要約】【課題】エギングにおける釣人の手首の負担、疲労を軽減する共に釣人の手を外傷から保護する釣用グローブの提供。【解決手段】この釣用グローブ１０は、グローブ本体１１と、これに設けられた弾性ベルト１２とを備える。弾性ベルト１２は、グローブ本体１１の手の甲側に設けられている。弾性ベルト１２は、母指中手指節間関節に対応する部位３５に沿って縫い付けられ、且つ母指基節骨に対応する領域３６を覆うように配置されている。弾性ベルト１２はクロロプレンゴムシートからなる。弾性ベルト１２に多数のパンチング孔２９が設けられている。弾性ベルト１２は、上記領域３６内に刺し縫いにより強固に固着されている。【選択図】図５
2011004694.tif 000002
【特許請求の範囲】
【請求項１】
釣人が実釣にて手に装着するグローブであって、
五指が挿入される指挿入部を有し、手の掌及び手の甲を覆うグローブ本体と、
グローブ本体の手の甲側に設けられ、当該手の甲側を覆って手首に巻回される弾性ベルトとを備え、
当該弾性ベルトは、母指中手指節間関節に対応する部位に沿って且つ母指基節骨に対応する領域を覆うようにグローブ本体に縫着されている釣用グローブ。
【請求項２】
上記弾性ベルトはクロロプレンゴムシートからなり、当該弾性ベルトが上記手首に巻回された状態を維持する面ファスナーを構成している請求項１に記載の釣用グローブ。
【請求項３】
上記グローブ本体の手の掌を覆う部分のうち手首に隣接する縁部は、クロロプレンゴムからなる請求項２に記載の釣用グローブ。
【請求項４】
上記弾性ベルトに多数のパンチング孔が設けられている請求項１から３のいずれかに記載の釣用グローブ。
【請求項５】
上記弾性ベルトは、上記領域内に刺し縫いが施されることによりグローブ本体に固着されている請求項１から４のいずれかに記載の釣用グローブ。
【発明の詳細な説明】
【技術分野】
【０００１】
本発明は、釣りの際に使用されるグローブの構造に関するものである。
【背景技術】
【０００２】
イカをターゲットとする釣りのジャンルに「エギング」と称されるものがある。エギングは、釣人が釣竿及びリールを使用して「エギ」と称される疑似餌をキャストし、これをさまざまなアクションをつけてリトリーブすることによってイカのアタックを誘う釣りである。釣人の経験上、一般にエギのアクションが激しいほどイカのアタックの確率が高いとされている。
【０００３】
エギのアクションが良好なものであるためには、釣人は釣竿を激しく俯仰させる（しゃくる）必要がある。したがって、釣人の手首の負担が大きく、特に長時間の実釣では釣人の手首の疲労は顕著となる。そのため、実釣において釣人の手首を保護するリストサポーターが従来から提案されている（たとえば非特許文献１参照）。
【先行技術文献】
【非特許文献】
【０００４】
【非特許文献１】ACTIVEリストサポーター（http://www.active-kobe.co.jp/acce.html）
【発明の概要】
【発明が解決しようとする課題】
【０００５】
従来のリストサポーターは、親指の第２関節周辺及び母子球を覆う指掛部と、この指掛部に連続して手首を囲繞するリストカバー部と、このリストカバー部に連続して手首に巻き付けられるベルト部とを有する。リストカバー部は、手首に当接するパッドを備えている。ベルト部は、このパッドを手首に押し付けるように巻回されるようになっている。このベルト部は弾性に富む生地から構成されており、当該ベルトの所定の緊迫力によってパッドが手首に圧接される。
【０００６】
ところで、エギングの実釣において釣人の手首が保護され疲労が軽減されるためには、当該手首が固定されることが重要である。ところが、従来のリストサポーターは、手首にベルトが巻回されることによってパッドを圧接するが、手首を固定することは困難であった。そのため、手首の負担軽減の効果は薄いと言わざるを得なかった。また、従来のリストサポーターでは、上記パッドが手首に押し付けられることにより、釣人は釣竿の操作に際して違和感を覚えることがあった。さらに、上記ベルトが強く手首に巻回されると、上記指掛部が手の甲側に引っ張られるので、釣人が釣竿を握る力が相対的に低下し、釣人にとって釣竿の操作がしずらくなる傾向にあった。加えて、防波堤や磯での釣りでは、釣人の手が外傷から保護されるべきである。
【０００７】
そこで、本発明は、エギングに代表される釣人の手首に負担が掛かる釣りにおいて、釣人の手首の負担を小さくして実釣の疲労を軽減する共に釣人の手を外傷から保護する釣用グローブを提供することである。
【課題を解決するための手段】
【０００８】
(1) 本発明に係る釣用グローブは、釣人が実釣にて手に装着するグローブであって、五指が挿入される指挿入部を有し、手の掌及び手の甲を覆うグローブ本体と、グローブ本体の手の甲側に設けられ、当該手の甲側を覆って手首に巻回される弾性ベルトとを備える。当該弾性ベルトは、母指中手指節間関節に対応する部位に沿って且つ母指基節骨に対応する領域を覆うようにグローブ本体に縫着されている。
【０００９】
この構成によれば、釣人は手をグローブ本体に挿入する。このとき、五指がグローブ本体の指挿入部に挿入され、グローブ本体によって釣人の手の掌及び手の甲が覆われる。これにより、実釣において釣人の手が外傷から保護される。なお、指挿入部は、当該指挿入部に挿入された五指の指先を露出させる構造であってもよいし、五指が被覆される袋状に形成されていてもよい。指挿入部が指先を露出させる構造である場合は、釣人にとってエギ、釣糸等の釣道具の扱いがより簡単になる。
【００１０】
釣人は、グローブ本体に手を挿入した後、弾性ベルトを手首に巻き付ける。まず、釣人は、弾性ベルトを引っ張りながらグローブ本体に重ねるようにして手の甲に巻き付ける。このとき、弾性ベルトは、釣人の母指中手指節間関節に対応する部位に沿って縫着されているから、釣人は弾性ベルトを簡単に引っ張ることができるし、それによって釣人の母指が極端に手の甲側に引っ張られるという違和感もない。そして、釣人は、当該弾性ベルトを引っ張ったまま手の甲から手の掌の下部に回り込ませ、手首に巻き付ける。これにより、弾性ベルトは手首に確実に巻き付けられ、釣人の手首は確実にホールドされる。さらに、この弾性ベルトは、釣人の母指基節骨に対応する領域を覆うように縫着されているから、グローブ本体に確実に固着されると共に、弾性ベルトが引っ張られる力が当該領域に分散されるので、母指が局部的に引っ張られることが確実に防止される。
【００１１】
(2) 上記弾性ベルトはクロロプレンゴムシートから構成され、また、当該弾性ベルトが上記手首に巻回された状態を維持する面ファスナーを構成しているのが好ましい。
【００１２】
この構成では、弾性ベルトは弾性に富み、手首をホールドするために好ましい。この弾性ベルトが面ファスナーを構成することにより、釣人は弾性ベルトを手首に巻き付けた状態で、そのまま当該弾性ベルトを固着することができる。すなわち、この釣用グローブの装着がきわめて簡単になる。
【００１３】
(3) 上記グローブ本体の手の掌を覆う部分のうち手首に隣接する縁部は、クロロプレンゴムからなるのが好ましい。
【００１４】
この構成では、釣人はグローブ本体に手を挿入し易くなる。しかも、上記縁部は面ファスナーを構成し得るので、弾性ベルトが手首に巻き付けられる際に確実にグローブ本体に係止される。その結果、釣人が激しく釣竿を操作しても、弾性ベルトは釣人の手首に巻き付いた状態が維持される。
【００１５】
(4) 上記弾性ベルトに多数のパンチング孔が設けられているのが好ましい。
【００１６】
この構成では、弾性ベルトの通気性が向上し、夏期の実釣においても手首の蒸れが軽減される。
【００１７】
(5) 上記弾性ベルトは、上記領域内に刺し縫いが施されることによりグローブ本体に固着されているのが好ましい。
【００１８】
この構成では、弾性ベルトがより一層強固にグローブ本体に固着される。その結果、弾性ベルトが強く引っ張られて手首に巻回される場合であっても、釣人の母指が引っ張られることが防止される。
【発明の効果】
【００１９】
本発明によれば、釣人の手首が確実に固定されるので、たとえばエギングにおいて釣人の手首の負担が小さくなり、実釣の疲労も軽減される。しかも、釣人の手の掌及び手の甲もグローブ本体によって覆われるので、釣人の手が外傷から保護される。
【図面の簡単な説明】
【００２０】
【図１】図１は、本発明の一実施形態に係る釣用グローブの使用状態における正面斜視図である。
【図２】図２は、本発明の一実施形態に係る釣用グローブの使用状態における背面斜視図である。
【図３】図３は、本発明の一実施形態に係る釣用グローブの正面図である。
【図４】図４は、本発明の一実施形態に係る釣用グローブの背面図である。
【図５】図５は、本発明の一実施形態に係る釣用グローブの装着要領を示す斜視図である。
【発明を実施するための形態】
【００２１】
以下、適宜図面が参照されつつ、好ましい実施形態に基づいて本発明が詳細に説明される。なお、本実施形態は本発明の一実施態様にすぎず、本発明の要旨が変更されない範囲で実施態様が変更され得る。
【００２２】
図１は、本発明の一実施形態に係る釣用グローブの使用状態における正面斜視図であり、図２は背面斜視図である。また、図３は、この釣用グローブの正面図であり、図４は背面図である。
【００２３】
この釣用グローブ１０は、主としてエギング用として使用される。本実施形態では、釣用グローブ１０は右利き用として構成されており、釣人は、釣竿を把持する右手に釣用グローブ１０を装着する（図１及び図２参照）。もっとも、釣用グローブ１０の左右対称形のもの（左利き用）も構成され得る。
【００２４】
図３及び図４が示すように、釣用グローブ１０は、グローブ本体１１と、これに設けられた弾性ベルト１２とを備えている。本実施形態に係る釣用グローブ１０の特徴とするところは、図１及び図２が示すように、弾性ベルト１２が釣人の手首に巻き付けられることによって釣人の手首が確実にホールドされ、長時間の釣りであっても手首の疲労が軽減される点、及び防波堤や磯での実釣において釣人の手が外傷から保護される点である。
【００２５】
グローブ本体１１は、釣人の手の甲側に配置される甲側シート１３と、手の掌側に配置される掌側シート１４とを備えている。これら甲側シート１３及び掌側シート１４の周縁部同士は互いに縫い合わされており、グローブ本体１１が袋状に形成されている。本実施形態では、グローブ本体１１は、指挿入部１５〜１９を備えている。各指挿入部１５〜１９は筒状に形成されており、釣人の母指４１、示指４２、中指４３、環指４４及び小指４５は、順に指挿入部１５〜指挿入部１９に挿入され、露出する。
【００２６】
甲側シート１３は、第１シート２０、第２シート２１及び第３シート２２を備えており、これらが縫い合わされている。第１シート２０は、釣人の手の甲の大部分を覆う。第１シート２０は、たとえばポリエステルからなるメッシュ生地であり、通気性に優れている。第２シート２１は、第１シート２０の外側（すなわち釣人の手の小指球側）に配置されている。この第２シート２１は、たとえばナイロン及びポリエステルからなり、伸縮性に優れたいわゆる２ウェイ生地である。第３シート２２は、ナイロン及びポリウレタンからなる合皮である。この第３シート２２は、釣人の手の甲側から手の掌側へ回り込んでおり、小指球の一部を包むように配置されている。
【００２７】
指挿入部１６と指挿入部１７との間、指挿入部１７と指挿入部１８との間、及び指挿入部１８と指挿入部１９との間に第４シート２３が配置されている。本実施形態では、第４シート２３は、上記第２シート２１と同様の材質からなる。これにより、釣人は指を円滑に動かすことができる。なお、甲側シート１３の各指挿入部１５〜１９の縁部にパイピングテープ２４が設けられている。このパイピングテープ２４は、ナイロン及びポリウレタンから構成される。
【００２８】
図３が示すように、掌側シート１４は、第５シート２５及び第６シート２６を備えている。第６シート２６は、第５シート２５の下縁部に縫い付けられている。すなわち、第６シート２６は、掌側シート１４の一部を構成するものであって、釣人の手の掌を覆う部分のうち手首に隣接する縁部を構成する。また、第５シート２５は、釣人の手の掌の大部分を覆う。第５シート２５は、ナイロン及びポリウレタンからなる合皮である。この第５シート２５の中央部にステッチ２７が施されている。このステッチ２７は、ナイロン糸により構成されており、滑止効果を発揮する。第６シート２６は、クロロプレンゴムからなる。本実施形態では、この第６シート２６は、パイル生地として構成されている。したがって、この第６シート２６は、面ファスナーを構成し得るものであり、面ファスナーのループテープとして機能することができる。図３及び図４が示すように、この第６シート２６及び上記第１シート２０の下縁にパイピングテープ２８が設けられている。このパイピングテープ２８は、ナイロン及びポリウレタンから構成される。
【００２９】
図３及び図４が示すように、弾性ベルト１２は、グローブ本体１１に設けられている。弾性ベルト１２は、これらの図が示すように細長帯状に形成されており、グローブ本体１１の手の甲側、具体的には上記第１シート２０に縫い付けられている。本実施形態では、弾性ベルト１２の基端部３３が上記第１シート２０に縫い付けれている。この基端部３３の縁部３４は、図２が示すように釣人の手の母指中手指節間関節に対応する部位３５（図２参照）に沿って上記第１シート２０に縫着されている。しかも、弾性ベルト１２は、釣人の手の母指基節骨に対応する領域３６（図２参照）を覆うように配置されている。また、本実施形態では、弾性ベルト１２の上記領域３６に刺し縫いが施されている。この刺し縫いは、たとえばナイロン糸３９により施される。これにより、弾性ベルト１２の基端部３３は、強固に上記第１シート２０に固着されている。
【００３０】
この弾性ベルト１２は、本実施形態ではクロロプレンゴムシートからなる。しかも、上記第６シート２６と同様にパイル生地として構成されている。したがって、この弾性ベルト１２も面ファスナーを構成し得るものであり、面ファスナーのループテープとして機能し得る。また、弾性ベルト１２にフックテープ３０〜３１が設けられている。フックテープ３０は、弾性ベルト１２の先端部３７に取り付けられている。フックテープ３１、３２は、図３及び図４が示すように、弾性ベルト１２の中間部に設けられている。これらフックテープ３０〜３２は、上記パイル生地からなる弾性ベルト１２と協働して面ファスナーを構成する。
【００３１】
本実施形態では、弾性ベルト１２に多数のパンチング孔２９が設けられている。図３及び図４では、簡略化のために一部のパンチング孔２９のみが図示されているが、実際には弾性ベルト１２の全体に均等にパンチング孔２９が設けられている。また、弾性ベルト１２の周囲にパイピングテープ３８が設けられている。このパイピングテープ３８は、ナイロン及びポリウレタンから構成される。
【００３２】
本実施形態に係る釣用グローブ１０は、次の要領で使用される。図５は、釣用グローブ１０の装着要領を示す斜視図である。
【００３３】
釣人は、釣用グローブ１０を手に取り、これを右手に装着する。このとき、釣人の五指４１〜４５は、それぞれ指挿入部１５〜１９に挿入される。これにより、釣人の手の甲及び手の掌は、グローブ本体１１によって囲繞される。したがって、防波堤や磯での実釣において釣人の手が外傷から保護される。なお、本実施形態では指挿入部１５〜１９が筒状に形成され、五指４１〜４５が露出しているので、釣人にとってエギ、釣糸等の釣道具の取り扱いに便利である。ただし、指挿入部１５〜１９が袋状に形成され、五指４１〜４５が完全に覆われる構造であってもよい。
【００３４】
次に、釣人は、弾性ベルト１２を長手方向に引っ張りながら手首に巻き付ける。このとき、弾性ベルト１２は、グローブ本体１１の甲側シート１３に重ねられて手の甲に巻き付けられる（図５参照）。弾性ベルト１２の上記縁部３４は、釣人の母指中手指節間関節に対応する部位３５に沿って縫い付けられており、さらに、この弾性ベルト１２の基端部３３が釣人の母指基節骨に対応する領域３６を覆うように縫い付けられているから、弾性ベルト１２がグローブ本体１１に確実に固着されると共に、弾性ベルト１２が引っ張られる力は、当該領域３６に分散される。したがって、釣人が弾性ベルト１２を手首に巻き付けるときに母指４１が局部的に引っ張られることが防止され、釣人は、実釣において確実に釣竿を把持することができる。さらに、釣人は、同図が示すように弾性ベルト１２を引っ張ったまま手の甲から手の掌の下部に回り込ませ、手首に巻き付ける。これにより、図１及び図２が示すように、弾性ベルト１２の緊迫力が手の甲、手の掌及び手首に均等に分散され、釣人の手首が確実にホールドされる。その結果、たとえばエギングにおいて釣人の手首の負担が小さくなり、実釣の疲労も軽減される。
【００３５】
特に本実施形態では、弾性ベルト１２がクロロプレンゴムシートから構成されるので、きわめて弾性に富む。したがって、釣人の手首は適切な緊迫力でホールドされ得る。しかも、弾性ベルト１２は、上記手首に巻回された状態を維持する面ファスナーを構成している。具体的には、弾性ベルト１２に設けられたフックテープ３０が当該弾性ベルト１２に接着する。したがって、釣人は、弾性ベルト１２を手首に巻き付けた状態で、そのまま当該弾性ベルト１２を固着することができる。すなわち、釣用グローブ１０の着脱がきわめて簡単である。
【００３６】
また、本実施形態では、図３が示すように、上記第６シート２６がクロロプレンゴムから構成されているので、掌側シート１４のうち手首に隣接する部分が伸縮性に富む。このため、釣人はグローブ本体１１に手を挿入し易くなる。しかも、この第６シート２６は、面ファスナーを構成し、弾性ベルト１２に設けられたフックテープ３１、３２が第６シート２６に接着する。したがって、弾性ベルト１２が手首に巻き付けられる際に、この第６シート２６と弾性ベルト１２とが接着し、弾性ベルト１２が確実にグローブ本体１１に係止される。その結果、釣人が激しく釣竿を操作しても、弾性ベルト１２は釣人の手首に巻き付いた状態が維持される。
【００３７】
さらに、本実施形態では、弾性ベルト１２に多数のパンチング孔２９が設けられているので、弾性ベルト１２の通気性が向上する。したがって、夏期の実釣においても手首の蒸れが軽減されるという利点がある。
【００３８】
加えて、弾性ベルト１２は、上記領域３６内に刺し縫いが施されているので、ベルト本体１２の基端部３３は、グローブ本体１１に一層強固に固着される。したがって、釣人が弾性ベルト１２を強く引っ張って手首を強力にホールドした場合であっても、釣人の母指４１が引っ張られることがなく、快適な実釣が実現される。
【符号の説明】
【００３９】
１０・・・釣用グローブ
１１・・・グローブ本体
１２・・・弾性ベルト
１３・・・甲側シート
１４・・・掌側シート
１５・・・指挿入部
１６・・・指挿入部
１７・・・指挿入部
１８・・・指挿入部
１９・・・指挿入部
２６・・・第６シート
２７・・・ステッチ
２９・・・パンチング孔
３０・・・フックテープ
３１・・・フックテープ
３２・・・フックテープ
３５・・・母指中手指節間関節に対応する領域
３６・・・母指基節骨に対応する領域
３７・・・先端部
３９・・・ナイロン糸
【図１】
2011004694.tif 000003
【図２】
2011004694.tif 000004
【図３】
2011004694.tif 000005
【図４】
2011004694.tif 000006
【図５】
2011004694.tif 000007